(57)【要約】【課題】広画角で広角端から望遠端までの全ズーム範囲で至近距離を短縮し、より大きな最大撮像倍率が容易に得られるズームレンズを得ること。【解決手段】ズーミングに際して隣り合うレンズ群の間隔が変化する複数のレンズ群を有するズームレンズにおいて、前記ズームレンズは、物体側から像側へ順に、負の屈折力の第１レンズ群、正の屈折力の第ＬＡ部分群、負の屈折力の第ＬＢ部分群を有し、無限遠から至近へのフォーカシングに際して、前記第ＬＡ部分群は物体側へ移動し、前記第ＬＢ部分群は像側へ移動し、望遠端での無限遠から至近へのフォーカシングにおける第ＬＡ部分群の移動量ｍＡ、第ＬＢ部分群の移動量ｍＢ、望遠端におけるズームレンズの焦点距離ｆｔを適切に設定したこと。【選択図】図１
2020140060.tif 000002
【特許請求の範囲】
【請求項１】
ズーミングに際して隣り合うレンズ群の間隔が変化する複数のレンズ群を有するズームレンズにおいて、
前記ズームレンズは、物体側から像側へ順に、負の屈折力の第１レンズ群、正の屈折力の第ＬＡ部分群、負の屈折力の第ＬＢ部分群を有し、
無限遠から至近へのフォーカシングに際して、前記第ＬＡ部分群は物体側へ移動し、前記第ＬＢ部分群は像側へ移動し、
望遠端での無限遠から至近へのフォーカシングにおける前記第ＬＡ部分群の移動量をｍＡ、望遠端での無限遠から至近へのフォーカシングにおける前記第ＬＢ部分群の移動量をｍＢ、望遠端における前記ズームレンズの焦点距離をｆｔとし、
移動量ｍＡ、ｍＢの符号は物体側から像側への移動量を正とするとき、
０．２０＜（ｍＢ−ｍＡ）／ｆｔ＜１．００
なる条件式を満たすことを特徴とするズームレンズ。
【請求項２】
前記第ＬＡ部分群の焦点距離をｆＡ、前記第ＬＢ部分群の焦点距離をｆＢとするとき、
０．１０＜｜ｆＡ／ｆＢ｜＜１．２０
なる条件式を満たすことを特徴とする請求項１に記載のズームレンズ。
【請求項３】
前記第ＬＡ部分群の焦点距離をｆＡとするとき、
０．３０＜ｆＡ／ｆｔ＜１．００
なる条件式を満たすことを特徴とする請求項１又は２に記載のズームレンズ。
【請求項４】
前記ズームレンズは、
０．１０＜｜ｍＡ／ｆｔ｜＜０．５０
なる条件式を満たすことを特徴とする請求項１乃至３のいずれか１項に記載のズームレンズ。
【請求項５】
前記ズームレンズは、
０．５０＜｜ｍＡ／ｍＢ｜＜２．００
なる条件式を満たすことを特徴とする請求項１乃至４のいずれか１項に記載のズームレンズ。
【請求項６】
至近の撮像時であって、撮像倍率が最も大きくなるズーム位置での前記第ＬＡ部分群の無限遠でのフォーカス敏感度をγＡとするとき、
２．５０＜｜γＡ｜＜６．００
なる条件式を満たすことを特徴とする請求項１乃至５のいずれか１項に記載のズームレンズ。
【請求項７】
至近の撮像時であって、撮像倍率が最も大きくなるズーム位置での前記第ＬＡ部分群の無限遠でのフォーカス敏感度をγＡとするとき、
０．１０＜｜γＡ×ｍＡ／ｆｔ｜＜３．００
なる条件式を満たすことを特徴とする請求項１乃至６のいずれか１項に記載のズームレンズ。
【請求項８】
至近の撮像時であって、撮像倍率が最も大きくなるズーム位置での前記第ＬＡ部分群の無限遠でのフォーカス敏感度をγＡ、至近の撮像時であって、撮像倍率が最も大きくなるズーム位置での前記第ＬＢ部分群の無限遠でのフォーカス敏感度をγＢとするとき、
０．２０＜｜（γＡ×ｍＡ）／（γＢ×ｍＢ）｜＜５．００
なる条件式を満たすことを特徴とする請求項１乃至７のいずれか１項に記載のズームレンズ。
【請求項９】
前記ズームレンズは開口絞りを有し、前記第ＬＡ部分群と前記第ＬＢ部分群は前記開口絞りより像側に配置されていることを特徴とする請求項１乃至８のいずれか１項に記載のズームレンズ。
【請求項１０】
前記第ＬＡ部分群の像側に隣接して前記第ＬＢ部分群が配置されていることを特徴とする請求項１乃至９のいずれか１項に記載のズームレンズ。
【請求項１１】
前記ズームレンズは、前記第１レンズ群の像側に順に隣接して配置された、正の屈折力の第２レンズ群、負の屈折力の第３レンズ群、正の屈折力の第４レンズ群、正の屈折力の第５レンズ群、負の屈折力の第６レンズ群より構成されていることを特徴とする請求項１乃至１０のいずれか１項に記載のズームレンズ。
【請求項１２】
前記第５レンズ群は前記ＬＡ部分群に相当し、前記第６レンズ群は前記第ＬＢ部分群に相当することを特徴とする請求項１１に記載のズームレンズ。
【請求項１３】
前記第５レンズ群は正の屈折力の第５Ａ部分群と正の屈折力の第５Ｂ部分群を有し、前記第５Ａ部分群は前記第ＬＡ部分群に相当し、前記第６レンズ群は前記第ＬＢ部分群に相当することを特徴とする請求項１１に記載のズームレンズ。
【請求項１４】
請求項１乃至１３のいずれか１項に記載のズームレンズと、該ズームレンズによって形成される像を受光する撮像素子とを有することを特徴とする撮像装置。
【発明の詳細な説明】
【技術分野】
【０００１】
本発明は、ズームレンズ及びそれを有する撮像装置に関し、特に、デジタルスチルカメラ、デジタルビデオカメラ、放送用カメラ、監視カメラ等の撮像装置に用いられる撮像光学系として好適なものである。
【背景技術】
【０００２】
撮像装置（カメラ）に用いる撮像光学系には広い撮像画角を包含し、高解像力で全系が小型のズームレンズであることが要望されている。更に、より至近物点の撮像が容易なズームレンズであること等が要望されている。
【０００３】
従来、広画角で、全系が小型のズームレンズとして、最も物体側に負の屈折力のレンズ
群が配置されたネガティブリード型のズームレンズが知られている。ネガティブリード型
のズームレンズにおいて、近距離における光学性能を良好に維持するために複数のレンズ群を別々の軌跡で移動させてフォーカスするフローティング方式を採用したものが知られている（特許文献１）。
【０００４】
特許文献１では、広角端から望遠端の全ズーム範囲において、フローティング方式を採用し、無限遠から至近距離にわたり高い光学性能を得ている。
【先行技術文献】
【特許文献】
【０００５】
【特許文献１】特開２０１４−１６０２２９号公報
【発明の概要】
【発明が解決しようとする課題】
【０００６】
撮像装置に用いるズームレンズには、広画角でかつレンズ系全体が小型であること、フォーカスレンズ群が小型軽量で至近距離の撮像が容易に行え、しかもフォーカシングに際して収差変動が少ないこと等が強く要望されている。ネガティブリードタイプのズームレンズにおいて、全系が小型でかつズーム全域及び物体距離全般にわたり高い光学性能を得るには各レンズ群の屈折力やレンズ構成、そしてフォーカシング用のレンズ群の選定等を適切に設定することが重要になってくる。
【０００７】
特にフローティング方式を用いて、物体距離全般にわたり、高い光学性能を得るには、フォーカシングに際して移動させる２つのレンズ群を適切に設定することが重要になってくる。
【０００８】
本発明は、広画角で広角端から望遠端までの全ズーム範囲で至近距離を短縮し、より大きな最大撮像倍率が容易に得られるズームレンズの提供を目的とする。
【課題を解決するための手段】
【０００９】
本発明のズームレンズは、ズーミングに際して隣り合うレンズ群の間隔が変化する複数のレンズ群を有するズームレンズにおいて、前記ズームレンズは、物体側から像側へ順に、負の屈折力の第１レンズ群、正の屈折力の第ＬＡ部分群、負の屈折力の第ＬＢ部分群を有し、無限遠から至近へのフォーカシングに際して、前記第ＬＡ部分群は物体側へ移動し、前記第ＬＢ部分群は像側へ移動し、望遠端での無限遠から至近へのフォーカシングにおける前記第ＬＡ部分群の移動量をｍＡ、望遠端での無限遠から至近へのフォーカシングにおける前記第ＬＢ部分群の移動量をｍＢ、望遠端における前記ズームレンズの焦点距離をｆｔとし、移動量ｍＡ、ｍＢの符号は物体側から像側への移動量を正とするとき、
０．２０＜（ｍＢ−ｍＡ）／ｆｔ＜１．００
なる条件式を満たすことを特徴としている。
【発明の効果】
【００１０】
本発明によれば、広画角で広角端から望遠端までの全ズーム範囲で至近距離を短縮し、より大きな最大撮像倍率が容易に得られるズームレンズが得られる。
【図面の簡単な説明】
【００１１】
【図１】本発明における実施例１のレンズ断面図
【図２】（Ａ）、（Ｂ）、（Ｃ）  本発明における実施例１の、物体距離無限遠における、広角端、ズーム中間位置、望遠端における縦収差図
【図３】（Ａ）、（Ｂ）、（Ｃ）  本発明における実施例１の、物体距離至近（０．２ｍ）における、広角端、ズーム中間位置、望遠端における縦収差図
【図４】本発明における実施例２のレンズ断面図
【図５】（Ａ）、（Ｂ）、（Ｃ）  本発明における実施例２の、物体距離無限遠における、広角端、ズーム中間位置、望遠端における縦収差図
【図６】（Ａ）、（Ｂ）、（Ｃ）  本発明における実施例２の、物体距離至近（０．２ｍ）における、広角端、ズーム中間位置、望遠端における縦収差図
【図７】本発明における実施例３のレンズ断面図
【図８】（Ａ）、（Ｂ）、（Ｃ）  本発明における実施例３の、物体距離無限遠における、広角端、ズーム中間位置、望遠端における縦収差図
【図９】（Ａ）、（Ｂ）、（Ｃ）  本発明における実施例３の、物体距離至近（０．２２ｍ）における、広角端、ズーム中間位置、望遠端における縦収差図
【図１０】本発明における実施例４のレンズ断面図
【図１１】（Ａ）、（Ｂ）、（Ｃ）  本発明における実施例４の、物体距離無限遠における、広角端、ズーム中間位置、望遠端における縦収差図
【図１２】（Ａ）、（Ｂ）、（Ｃ）  本発明における実施例４の、物体距離至近（０．２５ｍ）における、広角端、ズーム中間位置、望遠端における縦収差図
【図１３】本発明における実施例５のレンズ断面図
【図１４】（Ａ）、（Ｂ）、（Ｃ）  本発明における実施例５の、物体距離無限遠における、広角端、ズーム中間位置、望遠端における縦収差図
【図１５】（Ａ）、（Ｂ）、（Ｃ）  本発明における実施例５の、物体距離至近（０．２ｍ）における、広角端、ズーム中間位置、望遠端における縦収差図
【図１６】本発明における実施例６のレンズ断面図
【図１７】（Ａ）、（Ｂ）、（Ｃ）  本発明における実施例６の、物体距離無限遠における、広角端、ズーム中間位置、望遠端における縦収差図
【図１８】（Ａ）、（Ｂ）、（Ｃ）  本発明における実施例６の、物体距離至近（０．２ｍ）における、広角端、ズーム中間位置、望遠端における縦収差図
【図１９】本発明の撮像装置の要部概略図
【発明を実施するための形態】
【００１２】
以下に、本発明の好ましい実施の形態を、添付の図面に基づいて説明する。
【００１３】
本発明のズームレンズは、ズーミングに際して隣り合うレンズ群の間隔が変化する複数のレンズ群を有する。ズームレンズは、物体側から像側へ順に、負の屈折力の第１レンズ群、正の屈折力の第ＬＡ部分群、負の屈折力の第ＬＢ部分群を有する。無限遠から至近へのフォーカシングに際して、第ＬＡ部分群は物体側へ移動し、第ＬＢ部分群は像側へ移動する。
【００１４】
図１、図４、図７、図１０、図１３、図１６はそれぞれ、本発明の実施例１乃至６におけるレンズ断面図である。図２、図５、図８、図１１、図１４、図１７はそれぞれ本発明の実施例１乃至６における物体距離が無限遠のときの縦収差図である。さらに、図３、図６、図９、図１２、図１５、図１８はそれぞれ本発明の実施例１乃至６における物体距離が至近のときの縦収差図である。至近距離は各実施例によって異なり、後述する数値実施例をｍｍ単位で表わしたとき、実施例１、２、５、６では像面より０．２ｍ、実施例３では像面より０．２２ｍ、実施例４では像面より０．２５ｍを至近距離とする。
【００１５】
各実施例では、上記至近距離を最短の撮像距離として設計している。至近のフォーカス（合焦時）とは、上記の至近距離に対してフォーカスすることを指す。縦収差図において（Ａ）、（Ｂ）、（Ｃ）は、広角端、ズーム中間位置、望遠端における縦収差図を表している。なお、ズーム中間位置は、広角端の焦点距離をｆｗ、望遠端の焦点距離ｆｔとしたとき、焦点距離が（ｆｗ×ｆｔ）１／２となるズーム位置に定めている。
【００１６】
レンズ断面図において、左側が物体側、右側が像側である。ｉを物体側から数えたレンズ群の順番とすると、Ｌｉ（ｉ＝１，２，３，・・・）は、第ｉレンズ群を表す。各レンズ群の下方に示した矢印は、広角端から望遠端へのズーミングに際しての各レンズ群のズームカム軌跡を表わしている。ＳＰは開口絞り、ＩＰは像面である。
【００１７】
ＬＡ、ＬＢは各々フローティング方式でのフォーカシングに関わる部分群である。第ＬＡ部分群ＬＡと第ＬＢ部分群ＬＢを部分群ＬＡ、部分群ＬＢの下に示した。矢印は、物体距離が無限遠から至近にフォーカシングするときの、第ＬＡ部分群ＬＡと第ＬＢ部分群ＬＢの移動方向を表している。ズームレンズが、ビデオカメラやデジタルスチルカメラなどに用いられる場合、像面ＩＰはＣＣＤセンサやＣＭＯＳセンサ等の撮像素子（光電変換素子）の撮像面に相当する。
【００１８】
縦収差図において、球面収差（ｍｍ）、非点収差（ｍｍ）、歪曲収差（％）、倍率色収差（ｍｍ）を示している。ｄ線（波長５８７．６ｍｍ）、ｇ線（波長４３５．８ｍｍ）はその波長での収差図である。ΔＭ、ΔＳはそれぞれ、ｄ線のメリディオナル像面、サジタル像面を表す。ＦｎｏはＦナンバー、ωは近軸光線の撮像半画角である。
【００１９】
本発明のズームレンズは、物体側から像側へ順に配置された、負の屈折力（パワー）（焦点距離の逆数）の第１レンズ群と、正の屈折力の第ＬＡ部分群ＬＡ、負の屈折力の第ＬＢ部分群ＬＢを有する。任意のズーム位置において無限遠から至近へのフォーカシングに際して、第ＬＡ部分群ＬＡは物体側へ、第ＬＢ部分群ＬＢは像側へ移動する。
【００２０】
望遠端での無限遠から至近へのフォーカシングにおける第ＬＡ部分群ＬＡの移動量をｍＡとする。望遠端での無限遠から至近へのフォーカシングにおける第ＬＢ部分群ＬＢの移動量をｍＢとする。望遠端におけるズームレンズの焦点距離をｆｔとする。移動量ｍＡ、ｍＢの符号は物体側から像側への移動量を正とする。このとき、
０．２０＜（ｍＢ−ｍＡ）／ｆｔ＜１．００
なる条件式を満たす。
【００２１】
各実施例のズームレンズは、最も物体側の第１レンズ群Ｌ１が負の屈折力を有し、それよりも像側に複数のレンズ群を有している。そして、ズーミングに際して隣り合うレンズ群の間隔が変化する。これにより広角端から望遠端までの全ズーム範囲で良好な光学性能を有するズームレンズを容易に得ている。
【００２２】
また、無限遠から至近へのフォーカシングに際して、第ＬＡ部分群ＬＡと第ＬＢ部分群ＬＢの２つの部分群を移動させている。これらの部分群は開口絞りＳＰより像側に配置している。このことにより、第１レンズ群Ｌ１以外のレンズ群でフォーカスを行うこととなり、至近の撮像時でもレンズ全長が変わらず、撮像しやすくしている。また、レンズ有効径が比較的小さく軽量な部分群をフォーカスに使うことになり、フォーカス駆動を容易にしている。
【００２３】
さらに、物体側から像側へ順に、正の屈折力の第ＬＡ部分群ＬＡと、負の屈折力の第ＬＢ部分群ＬＢを配置した構成としている。これにより、物体側から第ＬＡ部分群ＬＡに入射する光線が大きく広がることなく第ＬＢ部分群ＬＢに入射させている。これにより、像側に配置した第ＬＢ部分群ＬＢの有効径を小さく抑えている。
【００２４】
そして第ＬＡ部分群ＬＡと第ＬＢ部分群ＬＢがそれぞれ別々の軌跡で移動してフォーカシングすることにより、より短い至近距離にフォーカスして最大撮像倍率を大きくし、かつ収差変動を抑えている。特に、ズームレンズのいずれかのズーム位置においても第ＬＡ部分群ＬＡが物体側に移動し、第ＬＢ部分群ＬＢが像側に移動することにより、大きな効果を得ている。
【００２５】
条件式（１）は、望遠端における第ＬＡ部分群ＬＡと第ＬＢ部分群ＬＢの無限遠から至近までのフォーカシングに際しての移動量に関する。条件式（１）の下限値を超えると、フォーカシングの際の部分群の移動量が小さすぎて、至近距離が長くなり、かつ最大撮像倍率が小さくなってしまうので好ましくない。一方、上限値を超えると、フォーカシングに際しての部分群の移動量が大きくなりすぎ、隣接されるレンズ群と干渉してくるので好ましくない。
【００２６】
更に好ましくは条件式（１）の数値範囲を次の如く設定するのが良い。
【００２７】
０．２０５＜（ｍＢ−ｍＡ）／ｆｔ＜０．９００          ・・・（１ａ）
更に好ましくは条件式（１ａ）の数値範囲を次の如く設定するのが良い。
【００２８】
０．２０８＜（ｍＢ−ｍＡ）／ｆｔ＜０．８００          ・・・（１ｂ）
各実施例において、以上の構成により、広角端から望遠端までの全ズーム範囲で至近距離を短縮し、より大きな撮像倍率を有するズームレンズを得ている。
【００２９】
各実施例において好ましくは次の条件式のうち１つ以上を満足するのが良い。
【００３０】
第ＬＡ部分群ＬＡの焦点距離をｆＡ、第ＬＢ部分群ＬＢの焦点距離をｆＢとする。至近の撮像時であって、撮像倍率が最も大きくなるズーム位置での第ＬＡ部分群ＬＡの無限遠でのフォーカス敏感度をγＡとする。至近の撮像時であって、撮像倍率が最も大きくなるズーム位置での第ＬＢ部分群ＬＢの無限遠でのフォーカス敏感度をγＢとする。
【００３１】
このとき次の条件式のうち１つ以上を満足するのが良い。
【００３２】
０．１０＜｜ｆＡ／ｆＢ｜＜１．２０                    ・・・（２）
０．３０＜ｆＡ／ｆｔ＜１．００                        ・・・（３）
０．１０＜｜ｍＡ／ｆｔ｜＜０．５０                    ・・・（４）
０．５０＜｜ｍＡ／ｍＢ｜＜２．００                    ・・・（５）
２．５０＜｜γＡ｜＜６．００                          ・・・（６）
０．１０＜｜γＡ×ｍＡ／ｆｔ｜＜３．００              ・・・（７）
０．２０＜｜（γＡ×ｍＡ）／（γＢ×ｍＢ）｜＜５．００・・・（８）
次に前述の各条件式の技術的意味について説明する。
【００３３】
条件式（２）は、第ＬＡ部分群ＬＡの焦点距離と第ＬＢ部分群ＬＢの焦点距離の比率に関する。条件式（２）の下限値および上限値を超えると、一方の部分群の屈折力（パワー）が小さくなりすぎ、フォーカシングに際してのピント位置の変動への効き量が小さくなりすぎる。そうすると、充分に近い至近距離に対してフォーカシングするのが困難になる。
【００３４】
条件式（３）は、第ＬＡ部分群ＬＡの焦点距離に関する。条件式（３）の下限値を超えると、第ＬＡ部分群ＬＡの正の屈折力が小さくなりすぎ、フォーカシングに際してのピント位置の変動への効き量が小さくなりすぎる。そうすると、充分に近い至近距離に対してフォーカシングするのが困難になる。一方上限値を超えると、第ＬＡ部分群ＬＡの屈折力が大きくなりすぎ、諸収差の発生が大きくなると同時に、無限遠から至近へのフォーカシングに際しての収差変動も大きくなりすぎるため、好ましくない。
【００３５】
条件式（４）は、フォーカシングに際しての第ＬＡ部分群ＬＡの移動量に関する。条件式（４）の下限値を超えると、フォーカシングの際の第ＬＡ部分群ＬＡの移動量が小さすぎて、至近距離を短くするのが困難になる。一方、上限値を超えると、フォーカシングの際の第ＬＡ部分群ＬＡの移動量が大きくなりすぎ、隣接するレンズ群と干渉してくるので好ましくない。
【００３６】
条件式（５）は、フォーカシングに際しての第ＬＡ部分群ＬＡおよび第ＬＢ部分群ＬＢの移動量の比に関する。第ＬＡ部分群ＬＡは正の屈折力を、第ＬＢ部分群ＬＢは負の屈折力を持っている。条件式（５）の下限値又は上限値を超えると、フォーカシングに際して一方の部分群の移動量が大きくなりすぎ、正の屈折力の第ＬＡ部分群ＬＡおよび負の屈折力の第ＬＢ部分群ＬＢ同士で収差変動を打ち消すバランスが崩れてしまう。そのため、無限遠から至近へのフォーカシングに際しての収差変動が大きくなってしまい、好ましくない。
【００３７】
ここで、ズームレンズが第１レンズ群から第ｋレンズ群までのレンズ群からなるとき、物体距離無限遠時の第νレンズ群のフォーカス敏感度γνは、第ｉレンズ群の横倍率をβｉとして、
γν＝（１−βν２）×βν＋１２×βν＋２２×・・・×βｋ＋１２
という式で計算できる。
【００３８】
条件式（６）は、第ＬＡ部分群ＬＡのフォーカス敏感度に関する。ここで、フォーカス敏感度とは、具体的には該当の部分群が光軸方向で像側へ１ｍｍ動いたときに、ピント面が像側へ何ｍｍ移動するかを示した量である。条件式（６）の下限値を超えると、至近にフォーカシングするために第ＬＡ部分群ＬＡを大きく移動させなければならなくなる。このとき、第ＬＡ部分群ＬＡが隣のレンズ群に干渉してくるので、好ましくない。一方、上限値を超えると、フォーカス敏感度が大きくなりすぎ、製造誤差に対する光学性能が大きく変動するため、好ましくない。
【００３９】
条件式（７）は、第ＬＡ部分群ＬＡの無限遠から至近へのフォーカシングに際してのピント位置の変動を見積もったものである。ここで、条件式（７）の意味について説明する。γＡは第ＬＡ部分群ＬＡのフォーカス敏感度（物体距離無限遠時）であり、第ＬＡ部分群ＬＡが像側へ１ｍｍ移動したときに、ピント面が像側へ何ｍｍ移動するかを示した量である。このフォーカス敏感度γＡに、第ＬＡ部分群ＬＡのフォーカシングに際しての移動量ｍＡを掛けることにより、第ＬＡ部分群ＬＡのピント位置変動を見積ることができる。
【００４０】
条件式（７）の下限値を超えると、第ＬＡ部分群ＬＡのピント位置変動が小さくなりすぎ、至近距離を短くするのが困難になる。一方、上限値を超えると、必要以上にピント位置変動が大きくなるため、無限遠から至近へのフォーカシングに際しての収差変動が大きくなりすぎ、好ましくない。
【００４１】
条件式（８）は、第ＬＡ部分群ＬＡおよび第ＬＢ部分群ＬＢの無限遠から至近へのフォーカシングに際してのピント位置の変動の寄与率を見積もったものである。条件式（８）の意味について説明する。条件式（７）の説明で述べたように、フォーカス敏感度に、無限遠から至近へのフォーカシングに際しての移動量を掛けることにより、該当部分群のピント位置変動を見積ることができる。
【００４２】
条件式（８）では、第ＬＡ部分群ＬＡと第ＬＢ部分群ＬＢでこの量の比を取ることにより、各部分群での無限遠から至近へのフォーカシングに際してのピント位置の変動の寄与率を見積もることができる。条件式（８）の下限値および上限値を超えると、第ＬＡ部分群ＬＡあるいは第ＬＢ部分群ＬＢのどちらか一方のみがピント位置変動に寄与する構成となり、短い至近距離に対してフォーカシングをし、大きな最大撮像倍率を得ることが困難になる。
【００４３】
好ましくは条件式（２）乃至（８）の数値範囲を次の如く設定するのが良い。
【００４４】
０．１０＜｜ｆＡ／ｆＢ｜＜０．８０                    ・・・（２ａ）
０．３０＜ｆＡ／ｆｔ＜０．８０                        ・・・（３ａ）
０．１０＜｜ｍＡ／ｆｔ｜＜０．４０                    ・・・（４ａ）
０．７０＜｜ｍＡ／ｍＢ｜＜２．００                    ・・・（５ａ）
２．５０＜｜γＡ｜＜５．５０                          ・・・（６ａ）
０．２０＜｜γＡ×ｍＡ／ｆｔ｜＜３．００              ・・・（７ａ）
０．５０＜｜（γＡ×ｍＡ）／（γＢ×ｍＢ）｜＜５．００・・・（８ａ）
更に好ましくは条件式（２ａ）乃至（８ａ）の数値範囲を次の如く設定するのが良い。
【００４５】
０．２０＜｜ｆＡ／ｆＢ｜＜０．７０                    ・・・（２ｂ）
０．４０＜ｆＡ／ｆｔ＜０．７０                        ・・・（３ｂ）
０．１０＜｜ｍＡ／ｆｔ｜＜０．３０                    ・・・（４ｂ）
０．７５＜｜ｍＡ／ｍＢ｜＜１．８０                    ・・・（５ｂ）
２．５０＜｜γＡ｜＜５．００                          ・・・（６ｂ）
０．３０＜｜γＡ×ｍＡ／ｆｔ｜＜２．００              ・・・（７ｂ）
０．８０＜｜（γＡ×ｍＡ）／（γＢ×ｍＢ）｜＜４．００・・・（８ｂ）
各実施例において、ズームレンズは開口絞りＳＰを有する。そして、第ＬＡ部分群ＬＡと第ＬＢ部分群ＬＢがともに開口絞りＳＰより像側に配置されていることが好ましい。このことにより、特に物体距離が無限遠にフォーカスしている時の望遠端において、第ＬＡ部分群ＬＡの物体側および第ＬＢ部分群ＬＢの像側に充分大きな空気間隔が確保できる。
これにより無限遠から至近へのフォーカシングに際しての移動距離を確保することが容易となり、至近距離を短くすることができる。
【００４６】
第ＬＡ部分群ＬＡの像側に隣接して第ＬＢ部分群ＬＢが配置されていることが好ましい。フローティング方式でフォーカシングを行うとき、第ＬＡ部分群ＬＡと第ＬＢ部分群ＬＢを別々の軌跡で動かす必要があるため、メカ機構が複雑になる。第ＬＡ部分群ＬＡと第ＬＢ部分群ＬＢが空気間隔のみを挟んで隣接している場合は、フォーカシングのために、離れた位置に別々のメカ機構を配置しない構成となり、メカ機構が比較的簡易となるので望ましい。
【００４７】
次に、各実施例における各レンズ群のレンズ構成について説明する。
【００４８】
実施例１乃至５までのズームレンズのレンズ構成は物体側から像側へ順に配置された次のレンズ群よりなっている。負の屈折力の第１レンズ群Ｌ１、正の屈折力の第２レンズ群Ｌ２、負の屈折力の第３レンズ群Ｌ３、正の屈折力の第４レンズ群Ｌ４、正の屈折力の第５レンズ群Ｌ５、負の屈折力の第６レンズ群Ｌ６よりなっている。開口絞りＳＰは第４レンズ群Ｌ４内に配置されている。フォーカシングに際して移動する部分群としては、第５レンズ群Ｌ５全体が第ＬＡ部分群ＬＡ、および第６レンズ群Ｌ６全体が第ＬＢ部分群ＬＢに相当している。
【００４９】
第１レンズ群Ｌ１は、負の屈折力の（負の）第１１レンズ、負の第１２レンズと正の第１３レンズを接合した接合レンズよりなっている。第２レンズ群Ｌ２は、負の第２１レンズと正の第２２レンズを接合した接合レンズ、正の第２３レンズよりなっている。第３レンズ群Ｌ３は、負の第３１レンズ、正の第３２レンズよりなっている。
【００５０】
第３１レンズの像側のレンズ面は非球面形状である。第４レンズ群Ｌ４は、開口絞りＳＰ、正の第４１レンズ、負の第４２レンズと正の第４３レンズを接合した接合レンズよりなっている。第５レンズ群Ｌ５は、正の第５１レンズよりなっている。第６レンズ群Ｌ６は、負の第６１レンズ、正の第６２レンズよりなっている。第６２レンズの像側の面は非球面形状となっている。
【００５１】
条件式（１）乃至（８）を満たすことより、広角端から望遠端まで全ズーム範囲で至近距離を短縮し、より大きな最大撮像倍率を有するズームレンズを得ている。また、第ＬＡ部分群ＬＡと第ＬＢ部分群ＬＢがともに開口絞りＳＰより像側に配置されている。このことにより、至近にフォーカシングする際、高い光学性能を得ている。さらに、第ＬＡ部分群ＬＡと第ＬＢ部分群ＬＢが空気間隔のみを挟んで隣接する配置としている。このことにより、メカ機構を比較的簡易としている。
【００５２】
実施例６のズームレンズのレンズ構成は物体側から像側へ順に配置された次のレンズ群よりなっている。負の屈折力の第１レンズ群Ｌ１、正の屈折力の第２レンズ群Ｌ２、負の屈折力の第３レンズ群Ｌ３、正の屈折力の第４レンズ群Ｌ４、正の屈折力の第５レンズ群Ｌ５、負の屈折力の第６レンズ群Ｌ６よりなっている。
【００５３】
開口絞りＳＰは第４レンズ群Ｌ４内に配置されている。正の屈折力の第５レンズ群はさらに、正の屈折力の第５Ａ部分群Ｌ５Ａと正の屈折力の第５Ｂ部分群Ｌ５Ｂよりなっている。フォーカシングする際に駆動する部分群としては、第５Ａ部分群が第ＬＡ部分群ＬＡ、および第６レンズ群Ｌ６全体が第ＬＢ部分群ＬＢに相当している
第１レンズ群Ｌ１は、負の第１１レンズ、負の第１２レンズと正の第１３レンズを接合した接合レンズよりなっている。第２レンズ群Ｌ２は、負の第２１レンズと正の第２２レンズを接合した接合レンズ、正の第２３レンズよりなっている。第３レンズ群Ｌ３は、負の第３１レンズよりなっている。第３１レンズの像側のレンズ面は非球面形状となっている。
【００５４】
第４レンズ群Ｌ４は、開口絞りＳＰ、正の第４１レンズ、負の第４２レンズと正の第４３レンズを接合した接合レンズよりなっている。第４２レンズの物体側のレンズ面は非球面形状となっている。第５レンズ群Ｌ５は、正の屈折力の第５１レンズと、正の第５２レンズよりなっている。第５１レンズが第５Ａ部分群Ｌ５Ａに、第５２レンズが第５Ｂ部分群Ｌ５Ｂに相当している。第６レンズ群Ｌ６は、負の第６１レンズ、正の第６２レンズよりなっている。第６２レンズの像側のレンズ面は非球面形状となっている。
【００５５】
条件式（１）乃至（８）を満たすことより、広角端から望遠端までの全ズーム範囲で至近距離を短縮し、より大きな最大撮像倍率を有するズームレンズを得ている。また、第ＬＡ部分群と第ＬＢ部分群ＬＢがともに開口絞りＳＰより像側に配置されている。このことにより、至近にフォーカスする際に高い光学性能を得ている。
【００５６】
実施例１において至近の物体距離は、全ズーム範囲で像面から０．２ｍ（後述する数値実施例をｍｍ単位で表わしたとき、以下同様である）のところにある。また、望遠端において至近距離にフォーカスしたときに、最大撮像倍率は−１．０である。
【００５７】
実施例２、５、６において至近の物体距離および最大撮像倍率は実施例１と同じである。
【００５８】
実施例３において至近の物体距離は、全ズーム範囲において像面から０．２２ｍのところにある。また、望遠端において至近距離にフォーカスしたときに、最大撮像倍率は−０．７である。
【００５９】
実施例４において至近の物体距離は、全ズーム範囲で像面から０．２５ｍのところにある。また、望遠端において至近距離にフォーカスしたときに、最大撮像倍率は−０．５倍である。
【００６０】
次に本発明のズームレンズを撮像光学系として用いたデジタルカメラ（光学機器）の実施形態を、図１９を用いて説明する。図１９において、２０はデジタルカメラ本体、２１は上述の各実施例のズームレンズによって構成された撮像光学系、２２は撮像光学系２１によって被写体像を受光するＣＣＤ等の撮像素子、２３は撮像素子２２が受光した被写体像を記録する記録手段である。２４は不図示の表示素子に表示された被写体像を観察するためのファインダーである。
【００６１】
上記表示素子は液晶パネル等によって構成され、撮像素子２２上に形成された被写体像が表示される。２４はファインダーと同等の機能を有する液晶表示パネルである。
【００６２】
このように本発明のズームレンズをデジタルカメラ等の撮像装置に適用することにより、小型で高い光学性能を有する撮像装置を実現している
次に本発明の実施例１乃至６の数値実施例１乃至６を示す。
【００６３】
各数値実施例において、ｒｉは物体側より順に第ｉ番目のレンズ面の曲率半径である。非球面形状は、ｘを光軸方向の面頂点からの変位量、ｈを光軸と垂直な方向の光軸からの高さ、ｒを近軸曲率半径、Ｋを円錐定数、Ａ４、Ａ６、Ａ８、Ａ１０を非球面係数とするとき、
ｘ＝（ｈ２／ｒ）／［１＋｛１−（１＋Ｋ）×（ｈ／ｒ）２｝１／２］＋Ａ４×ｈ４＋Ａ６×ｈ６＋Ａ８×ｈ８＋Ａ１０×ｈ１０
なる式で表している。下記数値の「ｅ±ＸＸ」は「×１０±ＸＸ」を意味している。
【００６４】
ｄｉは第ｉ番目のレンズ肉厚または空気間隔である。ズーム位置によってｄｉが可変の部分について、物体距離が無限遠と物体距離が至近時でのｄｉの値を示した。
【００６５】
また、ｎｄｉ、ｖｄｉは第ｉ番目のレンズの材料のｄ線の屈折率およびアッベ数である。各レンズ面の有効径（ｍｍ）も示している。
【００６６】
さらに、ズームレンズの仕様として、ズーム比、焦点距離（ｍｍ）、Ｆナンバー、撮像画角（ｄｅｇ）、像高（ｍｍ）、レンズ全長（ｍｍ）、ＢＦ（ｍｍ）、絞り径（ｍｍ）を示した。ここで、撮像画角は近軸光線の半画角であり、度数法で示した。レンズ全長は、最も物体側の第１レンズ面から像面までの光軸上の距離である。ＢＦは、最も像側の最終レンズ面から像面までの光軸上の距離である。絞り径は、ズーム位置により異なる場合はその各ステートでの値を示した。
【００６７】
以上に加えて、ズームレンズの各レンズ群のデータとして、レンズ群番号と開始面、レンズ群の焦点距離を示した。
【００６８】
前述の各条件式と実施例との関係は、表１に示した。
【００６９】
（数値実施例１）
単位  ｍｍ
面データ
面番号       r        d      nd         vd       有効径
1         68.266    2.39   1.64000    60.1       55.37
2         29.107    9.86                         45.13
3        264.535    2.00   1.74100    52.6       45.04
4         32.810    3.47   1.80810    22.8       40.41
5         46.340  (可変)                         39.80
6         25.785    1.42   1.87400    35.3       26.34
7         14.338    8.10   1.81600    46.6       23.83
8       1007.907    0.10                         22.85
9         30.438    1.96   1.85150    40.8       20.92
10         74.386  (可変)                         20.24
11        132.839    1.02   1.62004    36.3       14.97
12*        10.991    0.96                         13.80
13         11.082    1.41   1.59270    35.3       14.38
14         13.218  (可変)                         14.11
15(絞り)    ∞       0.10                         (可変)
16         23.347    1.99   1.43875    94.9       15.98
17        144.378    6.81                         15.92
18        -32.719    1.12   1.74100    52.6       16.21
19         30.669    5.87   1.43875    94.9       18.23
20        -16.279  (可変)                         19.39
21         40.424    6.49   1.59522    67.7       33.14
22        -79.771  (可変)                         33.19
23        133.562    1.09   1.73400    51.5       31.82
24         24.165    8.11                         30.61
25         56.743    4.14   1.87400    35.3       38.14
26*       536.125  (可変)                         38.29
像面        ∞   
非球面データ
第12面
K = 0.00000e+000  A 4= 1.82796e-005  A 6=-1.00088e-008  A 8= 3.63703e-009  
第26面
K = 0.00000e+000  A 4=-9.86288e-007  A 6=-7.24709e-009  A 8= 1.51800e-011  A10=-2.49306e-014  
各種データ
ズーム比      2.75 
焦点距離      24.73    40.97    67.90     
Fナンバー      4.12     4.12     4.12      
半画角（度）  41.19    27.84    17.67      
像高          21.64    21.64    21.64      
レンズ全長   145.62   138.11   159.46    
BF            18.00    23.52    49.52   
絞り径       10.23    12.32    15.68  
物体距離無限遠
d 5           47.21    20.08     1.87      
d10            2.31     3.62     7.27       
d14            3.04     4.66     9.73      
d20            5.66    13.51    20.32      
d22            1.00     4.31     2.35      
d26           18.00    23.52    49.52      
物体距離至近時
d 5           47.21    20.08     1.87    
d10            2.31     3.62     7.27   
d14            3.04     4.66     9.73   
d20           1.00    5.01    1.00     
d22            5.66     15.57     33.39       
d26           18.00    20.76    37.81     
レンズ群データ
群  始面    焦点距離  
1    1     -37.51        
2    6      22.85        
3   11     -23.61         
4   15      80.49        
5   21      46.00         
6   23    -120.42        
（数値実施例２）
単位  ｍｍ
面データ
面番号       r        d      nd         vd       有効径
1         76.645    2.39   1.64000    60.1       55.47
2         28.717   10.22                         44.75
3        423.113    2.00   1.74100    52.6       44.66
4         34.659    3.50   1.80810    22.8       40.66
5         50.547  (可変)                         40.10
6         25.942    1.42   1.87400    35.3       29.26
7         14.491    9.97   1.81600    46.6       26.06
8      -4822.593    0.10                         25.05
9         30.301    2.21   1.85150    40.8       22.59
10         77.491  (可変)                         21.86
11        117.033    1.02   1.62004    36.3       17.27
12*        11.396    1.82                         14.25
13         11.358    1.96   1.59270    35.3       15.32
14         13.083  (可変)                         14.81
15(絞り)    ∞       0.10                         （可変）
16         24.250    2.11   1.43875    94.9       16.74
17        122.582    4.83                         16.64
18        -30.072    1.12   1.74100    52.6       16.32
19         23.538    5.49   1.43875    94.9       17.03
20        -16.713  (可変)                         18.22
21         32.338    6.16   1.59522    67.7       26.53
22        -43.049  (可変)                         26.66
23        179.566    1.09   1.73400    51.5       25.04
24         20.314   11.62                         24.34
25         63.289    3.94   1.87400    35.3       37.61
26*      2413.714  (可変)                         37.79
像面        ∞   
非球面データ
第12面
K = 0.00000e+000  A 4= 1.93243e-005  A 6= 6.65834e-008  A 8= 3.73615e-009  
第26面
K = 0.00000e+000  A 4=-1.58958e-006  A 6=-9.63363e-009  A 8= 3.53574e-011  A10=-4.91942e-014  
各種データ
ズーム比      2.75 
焦点距離      24.73    40.97    67.90      
Fナンバー      4.12     4.12     4.12     
半画角（度）  41.19    27.84    17.67      
像高          21.64    21.64    21.64      
レンズ全長   149.03   132.12   163.58     
BF            18.00    25.16    61.16      
絞り径        10.28    12.06    16.47
物体距離無限遠
d 5           46.99    15.48     1.48      
d10            1.46     2.84     6.13      
d14            4.43     6.04    12.07      
d20            3.97     4.01     8.68      
d22            1.12     5.52     1.00      
d26           18.00    25.16    61.16      
物体距離至近時
d 5           46.99    15.48     1.48      
d10            1.46     2.84     6.13      
d14            4.43     6.04    12.07      
d20            1.00     1.00    1.00    
d22            4.09     13.08   17.52      
d26           18.00    20.61    52.32      
レンズ群データ
群  始面    焦点距離  
1    1     -35.69        
2    6      22.50        
3   11     -24.37         
4   15     154.60        
5   21      32.00        
6   23     -73.77       
（数値実施例３）
単位  ｍｍ
面データ
面番号       r        d      nd         vd       有効径
1         77.359    2.39   1.64000    60.1       58.56
2         30.767   10.40                         47.64
3        285.084    2.00   1.74100    52.6       47.56
4         36.762    3.51   1.80810    22.8       43.14
5         52.769  (可変)                         42.56
6         25.831    1.42   1.87400    35.3       27.06
7         14.169    8.63   1.81600    46.6       24.26
8       3952.518    0.10                         23.24
9         30.326    2.01   1.85150    40.8       21.00
10         75.181  (可変)                         20.24
11        202.570    1.02   1.62004    36.3       14.86
12*        11.045    1.12                         13.66
13         11.000    1.48   1.59270    35.3       14.28
14         12.979  (可変)                         13.96
15(絞り)    ∞       0.10                         (可変)
16         24.203    1.85   1.43875    94.9       15.44
17        137.283    5.98                         15.37
18        -30.574    1.12   1.74100    52.6       15.38
19         29.198    5.47   1.43875    94.9       17.47
20        -16.246  (可変)                         18.62
21         36.901    6.18   1.59522    67.7       28.84
22        -52.234  (可変)                         28.96
23        203.727    1.09   1.73400    51.5       27.76
24         22.384    9.36                         26.95
25         63.709    4.11   1.87400    35.3       37.37
26*     -2197.910  (可変)                         37.59
像面        ∞   
非球面データ
第12面
K = 0.00000e+000  A 4= 1.97196e-005  A 6= 4.95856e-008  A 8= 3.20810e-009  
第26面
K = 0.00000e+000  A 4=-1.39002e-006  A 6=-1.04818e-008  A 8= 2.85882e-011  A10=-4.23704e-014  
各種データ
ズーム比      2.75 
焦点距離      24.72    40.97    67.90  
Fナンバー      4.12     4.12     4.12    
半画角（度）  41.19    27.84    17.67  
像高          21.64    21.64    21.64  
レンズ全長   149.41   133.24   151.98   
BF            18.00    24.98    52.42   
絞り径        10.01    11.75    15.20
物体距離無限遠
d 5           51.39    19.53     1.66    
d10            2.37     3.56     6.40     
d14            3.04     4.38     9.25    
d20            3.99     7.11    11.56     
d22            1.28     4.35     1.37    
d26           18.00    24.98    52.42    
物体距離至近時
d 5           51.39    19.53     1.66    
d10            2.37     3.56     6.40     
d14            3.04     4.38     9.25    
d20            1.00    3.01    2.34     
d22            4.27     11.74     17.01    
d26           18.00    21.68    46.00   
レンズ群データ
群  始面    焦点距離  
1    1     -40.34       
2    6      22.61     
3   11     -22.67        
4   15     100.35        
5   21      37.30        
6   23     -89.51       
（数値実施例４）
単位  ｍｍ
面データ
面番号       r        d      nd         vd       有効径
1         90.138    1.93   1.64000    60.1       64.47
2         34.322   11.42                         53.02
3        291.291    2.00   1.74100    52.6       52.93
4         44.580    3.53   1.80810    22.8       48.60
5         64.063  (可変)                         48.03
6         26.250    1.42   1.87400    35.3       27.06
7         14.231    8.49   1.81600    46.6       24.19
8       1276.305    0.11                         23.12
9         29.367    2.05   1.85150    40.8       20.83
10         73.421  (可変)                         20.05
11        249.276    1.02   1.62004    36.3       14.80
12*        10.913    1.05                         13.51
13         10.908    1.93   1.59270    35.3       13.99
14         12.957  (可変)                         13.51
15(絞り)    ∞       0.10                        (可変) 
16         24.272    1.64   1.43875    94.9       14.39
17        100.729    5.72                         14.30
18        -30.065    1.12   1.74100    52.6       14.75
19         30.665    5.00   1.43875    94.9       16.74
20        -16.493  (可変)                         17.88
21         40.671    5.89   1.59522    67.7       28.61
22        -50.552  (可変)                         28.80
23        174.293    1.09   1.73400    51.5       28.19
24         23.267    8.36                         27.57
25         64.541    4.01   1.87400    35.3       36.54
26*     -1157.207  (可変)                         36.79
像面        ∞   
非球面データ
第12面
K = 0.00000e+000  A 4= 1.80455e-005  A 6= 8.55122e-009  A 8= 2.83685e-009  
第26面
K = 0.00000e+000  A 4=-1.31408e-006  A 6=-1.23124e-008  A 8= 3.21476e-011  A10=-4.92591e-014  
各種データ
ズーム比      2.75 
焦点距離      24.72    40.97    67.90   
Fナンバー      4.12     4.12     4.12     
半画角（度）  41.19    27.84    17.67    
像高          21.64    21.64    21.64    
レンズ全長   155.68   133.28   144.31   
BF            18.00    23.25    47.05    
絞り径        9.61    11.27     14.26
物体距離無限遠
d 5           59.71    23.22     1.92    
d10            2.47     3.41     5.51   
d14            2.90     3.75     9.03    
d20            3.71     7.87    11.93     
d22            1.00     3.90     1.00     
d26           18.00    23.25    47.05   
物体距離至近時
d 5           59.71    23.22     1.92    
d10            2.47     3.41     5.51   
d14            2.90     3.75     9.03    
d20            1.00     4.14    4.43     
d22            3.71     10.94     15.50    
d26           18.00    19.95    40.05   
レンズ群データ
群  始面    焦点距離  レンズ構成長  前側主点位置  後側主点位置
1    1     -47.00        18.88         7.92         -6.81
2    6      22.73        12.07         1.80         -5.10
3   11     -22.23         4.00         1.63         -1.15
4   15     119.24        13.58         8.30         -4.06
5   21      38.80         5.89         1.69         -2.10
6   23    -102.90        13.46       -11.58        -25.52
（数値実施例５）
単位  ｍｍ
面データ
面番号       r        d      nd         vd       有効径
1         68.444    2.39   1.64000    60.1       54.63
2         28.694   10.04                         44.45
3        404.978    2.00   1.74100    52.6       44.36
4         33.582    3.44   1.80810    22.8       40.01
5         48.754  (可変)                         39.43
6         25.908    1.42   1.87400    35.3       26.67
7         14.285    8.39   1.81600    46.6       24.08
8          ∞       0.10                         23.14
9         30.176    2.03   1.85150    40.8       21.17
10         76.305  (可変)                         20.47
11        173.612    1.02   1.62004    36.3       14.97
12*        11.142    1.08                         13.80
13         11.074    1.39   1.59270    35.3       14.45
14         13.060  (可変)                         14.17
15(絞り)    ∞       0.10                         （可変）
16         23.287    2.06   1.43875    94.9       16.10
17        184.773    5.94                         16.03
18        -30.541    1.12   1.74100    52.6       15.59
19         27.714    5.60   1.43875    94.9       17.65
20        -16.436  (可変)                         18.77
21         37.106    6.55   1.59522    67.7       30.54
22        -57.852  (可変)                         30.62
23        150.185    1.09   1.73400    51.5       29.13
24         22.444    9.90                         28.02
25         66.609    4.08   1.87400    35.3       37.58
26*     -1054.290  (可変)                         37.81
像面        ∞   
非球面データ
第12面
K = 0.00000e+000  A 4= 1.88017e-005  A 6= 9.92807e-009  A 8= 3.66448e-009  
第26面
K = 0.00000e+000  A 4=-1.41743e-006  A 6=-7.89943e-009  A 8= 1.76767e-011  A10=-2.63407e-014  
各種データ
ズーム比      2.75 
焦点距離      24.73    40.97    67.90    
Fナンバー      4.12     4.12     4.12     
半画角（度）  41.19    27.84    17.67     
像高          21.64    21.64    21.64     
レンズ全長   145.52   135.76   160.05     
BF            18.00    25.64    55.54    
絞り径        10.30     12.22   15.80
物体距離無限遠時
d 5           46.72    18.81     1.52      
d10            2.22     3.61     7.16     
d14            3.09     4.59    10.44    
d20            4.75     9.48    14.65       
d22            1.00     3.88     1.00      
d26           18.00    25.64    55.54     
物体距離至近時
d 5           46.72    18.81     1.52      
d10            2.22     3.61     7.16     
d14            3.09     4.59     10.44    
d20            1.00     3.68     1.01     
d22            4.75     13.16    24.74      
d26           18.00     22.16    45.43  
レンズ群データ
群  始面    焦点距離  
1    1     -36.65  
2    6      22.40  
3   11     -23.15  
4   15      93.92  
5   21      38.98  
6   23    -100.41  
（数値実施例６）
単位  ｍｍ
面データ
面番号       r        d      nd         vd       有効径
1         56.084    2.39   1.64000    60.1       47.22
2         23.954   12.15                         37.92
3       -250.581    2.00   1.74100    52.6       35.94
4         31.004    6.00   1.80810    22.8       32.88
5         45.851  (可変)                         31.11
6         26.002    1.42   1.87400    35.3       25.25
7         13.692    8.44   1.81600    46.6       23.08
8       -193.145    4.32                         22.32
9         31.938    2.46   1.85150    40.8       20.79
10        139.412  (可変)                         20.36
11        135.580    0.80   1.59270    35.3       15.52
12*        16.446  (可変)                         14.46
13(絞り)    ∞       0.10                         （可変）
14         23.592    1.65   1.43875    94.9       14.88
15        128.239    1.98                         14.78
16*       -24.980    1.12   1.74100    52.6       14.66
17         19.504    4.59   1.43875    94.9       15.01
18        -16.386  (可変)                         15.37
19         44.545    6.34   1.53775    74.7       27.80
20        -34.913 （フォーカス時可変）            28.06
21        -78.920    1.50   1.53775    74.7       27.79
22        -59.065  (可変)                         27.83
23       -159.676    1.09   1.72916    54.7       26.92
24         23.468    8.57                         26.36
25         50.846    5.35   1.87400    35.3       39.47
26*      -499.293  (可変)                         39.61
像面        ∞   
非球面データ
第12面
K = 0.00000e+000  A 4= 6.09055e-005  A 6= 5.60809e-008  A 8= 1.15563e-008  A10=-3.57588e-011  
第16面
K = 0.00000e+000  A 4= 3.57559e-005  A 6=-4.47350e-009  A 8= 6.77547e-009  A10=-4.71633e-011  
第26面
K = 0.00000e+000  A 4= 1.08912e-006  A 6=-1.69239e-008  A 8= 4.92999e-011  A10=-5.25597e-014  
各種データ
ズーム比      2.75 
焦点距離      24.73    40.97    67.90     
Fナンバー      4.12     4.12     4.12       
半画角（度）  41.18    27.84    17.67     
像高          21.64    21.64    21.64     
レンズ全長   127.16   127.20   156.57   
BF            17.99    21.90    50.63      
絞り
物体距離無限遠時
d 5           27.38     9.25     1.00     
d10            1.16     3.25     8.04     
d12            2.92     2.86     5.39      
d18            4.24    11.15    18.02    
d20            0.20     0.20     0.20
d22            1.00     6.32     1.03      
d26           17.99    21.90    50.63     
物体距離至近時
d 5           27.38     9.25     1.00     
d10            1.16     3.25     8.04     
d12            2.92     2.86     5.39      
d18            1.00     6.60     6.59    
d20            3.44     4.75     11.63
d22            1.00    11.65     16.01      
d26           17.99    16.58     35.64    
レンズ群データ
群  始面    焦点距離 
1    1     -26.63        
2    6      20.96        
3   11     -31.66         
4   13     3665.00        
5   19      34.85       
6   23     -92.01       
第５レンズ群内単レンズデータ
レンズ  始面  焦点距離
11      19     37.44
12      21    425.36
【００７０】
【表１】
2020140060.tif 000003
【符号の説明】
【００７１】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＬＡ  第ＬＡ部分群
ＬＢ  第ＬＢ部分群
【図１】
2020140060.tif 000004
【図２】
2020140060.tif 000005
【図３】
2020140060.tif 000006
【図４】
2020140060.tif 000007
【図５】
2020140060.tif 000008
【図６】
2020140060.tif 000009
【図７】
2020140060.tif 000010
【図８】
2020140060.tif 000011
【図９】
2020140060.tif 000012
【図１０】
2020140060.tif 000013
【図１１】
2020140060.tif 000014
【図１２】
2020140060.tif 000015
【図１３】
2020140060.tif 000016
【図１４】
2020140060.tif 000017
【図１５】
2020140060.tif 000018
【図１６】
2020140060.tif 000019
【図１７】
2020140060.tif 000020
【図１８】
2020140060.tif 000021
【図１９】
2020140060.tif 000022